(57)【要約】【課題】スライディングノズル装置の摺動金枠と油圧シリンダー機構の先端部との接続部において、使用時に油圧シリンダー機構の先端部が、摺動金枠から抜け落ちたり、摺動金枠に対して下方に位置ずれしたりすることを防止できるスライディングノズル装置を提供すること。【解決手段】溶融金属容器の底部に固定された固定金枠１と、固定金枠１の下方に配置され固定金枠１に開閉可能に連結された開閉金枠２と、開閉金枠２の上面側に配置され開閉金枠２に摺動可能に支持された摺動金枠３とを備え、摺動金枠３がシリンダー機構９によって摺動し、シリンダー機構９の先端部８ａが、開閉金枠２を開閉することにより摺動金枠３の係合部に着脱されるスライディングノズル装置において、摺動金枠３の係合部に、シリンダー機構９の先端部８ａを下方から支持可能な支持部３ｃを設けた。【選択図】図１
2012139707.tif 000002
【特許請求の範囲】
【請求項１】
溶融金属容器の底部に固定された固定金枠と、固定金枠の下方に配置され固定金枠に開閉可能に連結された開閉金枠と、開閉金枠の上面側に配置され開閉金枠に摺動可能に支持された摺動金枠とを備え、摺動金枠がシリンダー機構によって摺動し、シリンダー機構の先端部が、開閉金枠を開閉することにより摺動金枠の係合部に着脱されるスライディングノズル装置において、摺動金枠の係合部に、シリンダー機構の先端部を下方から支持可能な支持部を設けたことを特徴とするスライディングノズル装置。
【発明の詳細な説明】
【技術分野】
【０００１】
本発明は、溶融金属の流量を制御するスライディングノズル装置（以下「ＳＮ装置」という。）に関する。
【背景技術】
【０００２】
ＳＮ装置は、溶融金属の流量制御を正確に行うことができるという利点を有することから、取鍋やタンディッシュなどの溶融金属容器で広く利用されている。ＳＮ装置は、溶融金属容器の底部に固定された固定金枠と、固定金枠に開閉可能に連結された開閉金枠と、開閉金枠に摺動可能に配置された摺動金枠とを備え、これらの金枠に２枚又は３枚のプレートを装着し、プレート間に面圧を負荷した後、摺動金枠を駆動機構である油圧シリンダーにより摺動させることによって、注湯時の溶融金属の流量制御を行う（例えば特許文献１参照）。
【０００３】
従来一般的に、ＳＮ装置と油圧シリンダーは、溶融金属容器に固定されていた。このため、溶融金属容器を真空処理槽に入れて、溶融金属に真空脱ガス処理を行う場合、溶融金属容器に固定された油圧シリンダーが真空処理槽内で高温にさらされ、その後、油圧シリンダーにトラブルが発生する原因となっていた。そのため近年では、着脱可能な油圧シリンダーの採用が増えている。この場合、作業性や安全性などの理由で、溶融金属容器の底から突出した位置に油圧シリンダーが設置される。そこで、継ぎ手となる中間ロッドを固定金枠に設け、この中間ロッドの先端部を摺動金枠に着脱可能に装着し、基端部を油圧シリンダーのシリンダーロッドに着脱可能に装着するようにしている。
【０００４】
図５は中間ロッドを使用した従来のＳＮ装置を下方から見た斜視図、図６はその底面図、図７は図６のＡ−Ａ断面図、図８は図５のＳＮ装置で使用した摺動金枠を示す斜視図である。ＳＮ装置は、固定金枠１と、開閉金枠２と、摺動金枠３とを備える。
【０００５】
固定金枠１は、図示しない溶融金属容器の底部に固定される。固定金枠１にはその下面に上プレート４が装着される。
【０００６】
開閉金枠２は、固定金枠１の下方に配置され、ヒンジ部５を介して固定金枠１に開閉可能に連結されている。開閉金枠２が開く方向は、ＳＮ装置を使用時に水平状態としたときを基準にすると下方に展開する方向であり、閉じる方向はその逆方向である。なお、図示の例では、図６において下側の２箇所をヒンジ部５としているが、図６において上側にもヒンジ部となり得る構成を備えており、図示しないヒンジ用のピンを入れ換えれば、図６において上側の２箇所をヒンジ部とすることができる。
【０００７】
摺動金枠３は、開閉金枠２の上面側に配置され、開閉金枠２の上面側の摺動面２ａ上に載置されることで開閉金枠２に摺動可能に支持されている。したがって、開閉金枠２を開閉させると、摺動金枠３は開閉金枠２に支持された状態で開閉金枠２と共に開閉する。摺動金枠３には、その上面に設けた下プレート装着部３ａに下プレート６が上プレート４と面合するように装着される。また、摺動金枠３の下面には、図示しない下ノズルを装着するために下ノズルスリーブ７が設けられている。
【０００８】
摺動金枠３には、中間ロッド８を介して油圧シリンダー９が着脱可能に接続されている。具体的には、中間ロッド８先端部のＴ型ヘッド８ａが摺動金枠３に設けられた係合部としてのＴ型溝３ｂに着脱可能に装着され、中間ロッド８基端部のＴ型ヘッド８ｂが油圧シリンダー９のシリンダーロッド９ａ先端に設けたれたＴ型溝に着脱可能に装着される。中間ロッド８は、固定金枠１に固定された支持板１０を貫通することで、支持板１０に摺動可能に支持されている。
【０００９】
以上の構成において、油圧シリンダー９を駆動させると、摺動金枠３と共に下プレート６が摺動する。これにより、溶融金属の流量制御を行う。また、上プレート４あるいは下プレート６を交換する際には、ＳＮ装置を使用時の水平状態の姿勢から９０°転回してプレートが垂直に立つ姿勢とした上で開閉金枠２を開く。摺動金枠３は開閉金枠２に支持されているので、開閉金枠２と共に開く。開閉金枠２には中間ロッド８の先端部が接続されているが、その接続は上述のとおりＴ型ヘッド８ａとＴ型溝３ｂとによりなされているので、開閉金枠２の開操作により、その接続は自動的に外れる。また、上プレート４あるいは下プレート６の交換が終わったら開閉金枠２を閉めるが、その閉操作によりＴ型ヘッド８ａとＴ型溝３ｂとは自動的に接続される。
【００１０】
このように、中間ロッド８先端部のＴ型ヘッド８ａは、開閉金枠２を開閉することにより、摺動金枠３の係合部としてのＴ型溝３ｂに着脱されるが、この開閉金枠２の開閉による着脱を可能とするため、従来のＳＮ装置において摺動金枠３のＴ型溝３ｂは、図８に示すように上下に開口するように形成されている。
【００１１】
しかし、摺動金枠３のＴ型溝３ｂが下方にも開口されていることから、Ｔ型溝３ｂに接続された中間ロッド８先端部のＴ型ヘッド８ａが使用時に下方に抜け落ちるおそれがある。この抜け落ちが発生したら、摺動金枠３をまったく摺動させることができなくなる。
【００１２】
また、抜け落ちにまでは至らないにしても、中間ロッド８先端部のＴ型ヘッド８ａが摺動金枠３のＴ型溝３ｂに対して下方に位置ずれすることがある。このような位置ずれが生じると、油圧シリンダー９による摺動方向の力が摺動金枠３に直線的に伝わらず、摺動金枠３には、摺動方向（水平方向）の力以外に、摺動金枠３を上下方向に回転させようとするモーメント力が作用する。このモーメント力により、摺動金枠３に装着された下プレート６も上下方向に回転しようとし、その結果、上プレート４との間に面開きが生じ、その面間から溶融金属が漏れるおそれがある。
【００１３】
このような問題は、中間ロッドを使用したＳＮ装置に限らず、中間ロッドを使用せずに油圧シリンダーのシンダーロッドの先端部を摺動金枠に着脱可能に接続するようにした旧来のＳＮ装置にも起こり得る。
【先行技術文献】
【特許文献】
【００１４】
【特許文献１】国際公開０２／０９００１７号パンフレット
【発明の概要】
【発明が解決しようとする課題】
【００１５】
本発明が解決しようとする課題は、ＳＮ装置の摺動金枠と油圧シリンダー機構の先端部との接続部において、使用時に油圧シリンダー機構の先端部が、摺動金枠から抜け落ちたり、摺動金枠に対して下方に位置ずれしたりすることを防止できるＳＮ装置を提供することにある。
【課題を解決するための手段】
【００１６】
本発明は、溶融金属容器の底部に固定された固定金枠と、固定金枠の下方に配置され固定金枠に開閉可能に連結された開閉金枠と、開閉金枠の上面側に配置され開閉金枠に摺動可能に支持された摺動金枠とを備え、摺動金枠がシリンダー機構によって摺動し、シリンダー機構の先端部が、開閉金枠を開閉することにより摺動金枠の係合部に着脱されるスライディングノズル装置において、摺動金枠の係合部に、シリンダー機構の先端部を下方から支持可能な支持部を設けたことを特徴とすることを特徴とするものである。
【００１７】
なお、本発明において「シリンダー機構の先端部」とは、シリンダーのシリンダーロッドの先端部又はシリンダーロッドに連結された中間ロッドの先端部のことをいう。
【発明の効果】
【００１８】
本発明では、摺動金枠の係合部に、シリンダー機構の先端部を下方から支持可能な支持部を設けているので、使用時にシリンダー機構の先端部が、摺動金枠の係合部に対して下方に移動しようとても支持部により支持される。したがって、使用時に油圧シリンダー機構の先端部が、摺動金枠から抜け落ちたり、摺動金枠に対して下方に位置ずれしたりすることを防止できる。
【図面の簡単な説明】
【００１９】
【図１】本発明のＳＮ装置を下方から見た斜視図である。
【図２】図１のＳＮ装置の底面図である。
【図３】図２のＡ−Ａ断面図である。
【図４】図１のＳＮ装置で使用した摺動金枠を示す斜視図である。
【図５】中間ロッドを使用した従来のＳＮ装置を下方から見た斜視図である。
【図６】図５のＳＮ装置の底面図である。
【図７】図６のＡ−Ａ断面図である。
【図８】図５のＳＮ装置で使用した摺動金枠を示す斜視図である。
【発明を実施するための形態】
【００２０】
以下、図面に示す実施例に基づき本発明の実施の形態を説明する。
【００２１】
図１は本発明のＳＮ装置を下方から見た斜視図、図２はその底面図、図３は図２のＡ−Ａ断面図、図４は図１のＳＮ装置で使用した摺動金枠を示す斜視図である。本発明のＳＮ装置の基本構成は、図５〜８に示した従来のＳＮ装置と同じであり、固定金枠１と、開閉金枠２と、摺動金枠３とを備える。
【００２２】
固定金枠１は、図示しない溶融金属容器の底部に固定される。固定金枠１にはその下面に上プレート４が装着される。
【００２３】
開閉金枠２は、固定金枠１の下方に配置され、ヒンジ部５を介して固定金枠１に開閉可能に連結されている。開閉金枠２が開く方向は、ＳＮ装置を使用時に水平状態としたときを基準にすると下方に展開する方向であり、閉じる方向はその逆方向である。なお、図示の例では、図２において下側の２箇所をヒンジ部５としているが、図２において上側にもヒンジ部となり得る構成を備えており、図示しないヒンジ用のピンを入れ換えれば、図２において上側の２箇所をヒンジ部とすることができる。
【００２４】
摺動金枠３は、開閉金枠２の上面側に配置され、開閉金枠２の上面側の摺動面２ａ上に載置されることで開閉金枠２に摺動可能に支持されている。したがって、開閉金枠２を開閉させると、摺動金枠３は開閉金枠２に支持された状態で開閉金枠２と共に開閉する。摺動金枠３には、その上面に設けた下プレート装着部３ａに下プレート６が上プレート４と面合するように装着される。また、摺動金枠３の下面には、図示しない下ノズルを装着するために下ノズルスリーブ７が設けられている。
【００２５】
摺動金枠３には、中間ロッド８を介して油圧シリンダー９が着脱可能に接続されている。具体的には、中間ロッド８先端部のＴ型ヘッド８ａが摺動金枠３に設けられた係合部としてのＴ型溝３ｂに着脱可能に装着され、中間ロッド８基端部のＴ型ヘッド８ｂが油圧シリンダー９のシリンダーロッド９ａ先端に設けたれたＴ型溝に着脱可能に装着される。中間ロッド８は、固定金枠１に固定された支持板１０を貫通して装着されることで、支持板１０に摺動可能に支持されている。
【００２６】
以上の基本構成において、本実施例では、摺動金枠３に設けられた係合部としてのＴ型溝３ｂに、中間ロッド８先端部のＴ型ヘッド８ａを下方から支持可能な支持部３ｃを設けている。
【００２７】
以上の構成において、油圧シリンダー９を駆動させると、摺動金枠３と共に下プレート６が摺動する。これにより、溶融金属の流量制御を行う。また、上プレート４あるいは下プレート６を交換する際には、ＳＮ装置を使用時の水平状態の姿勢から９０°転回してプレートが垂直に立つ姿勢とした上で開閉金枠２を開く。摺動金枠３は開閉金枠２に支持されているので、開閉金枠２と共に開く。開閉金枠２には中間ロッド８の先端部が接続されているが、その接続は上述のとおりＴ型ヘッド８ａとＴ型溝３ｂとによりなされているので、開閉金枠２の開操作により、その接続は自動的に外れる。また、上プレート４あるいは下プレート６の交換が終わったら開閉金枠２を閉めるが、その閉操作によりＴ型ヘッド８ａとＴ型溝３ｂとは自動的に接続される。
【００２８】
中間ロッド８先端部のＴ型ヘッド８ａと摺動金枠３のＴ型溝３ｂとが接続された使用時の状態では、Ｔ型溝３ｂに設けた支持部３ｃがＴ型ヘッド８ａに下方に位置している。すなわち、支持部３ｃは中間ロッド８先端部のＴ型ヘッド８ａを下方から支持可能である。したがって、中間ロッド８先端部のＴ型ヘッド８ａが、摺動金枠３のＴ型溝３ｂに対して下方に移動しようとしても支持部３ｃにより支持され、使用時に中間ロッド８先端部のＴ型ヘッド８ａが、摺動金枠３のＴ型溝３ｂから抜け落ちたり、摺動金枠３のＴ型溝３ｂに対して下方に位置ずれしたりすることを防止できる。
【００２９】
支持部３ｃは、中間ロッド８先端部のＴ型ヘッド８ａが下方に移動したときに、それ以上下方に移動しないように支持可能な位置にあればよく、常時、中間ロッド８先端部のＴ型ヘッド８ａと接触している必要はない。むしろ、中間ロッド８の円滑な摺動方向の移動を確保する点からは、接触させずに１〜５ｍｍ程度の隙間を設ける方がよい。
【００３０】
なお、本実施例では、Ｔ型溝３ｂに支持部３ｃを設けたことで、Ｔ型溝３ｂの下側の一部は閉じられることになるが、Ｔ型溝３ｂの上側は開口しているので、開閉金枠２の開閉操作によってＴ型ヘッド８ａをＴ型溝３ｂに着脱することはできる。また、Ｔ型溝３ｂの上側の開口は、使用時は固定金枠１の下面と面しているので、中間ロッド８先端部のＴ型ヘッド８ａがＴ型溝３ｂの上方に移動して位置ずれすることは防止される。
【００３１】
以上の実施例では、中間ロッド８を介して、油圧シリンダー９のシリンダーロッド９ａと摺動金枠３とを接続したが、油圧シリンダー９のシリンダーロッド９ａと摺動金枠３とを直接接続してもよいことは、当業者に自明である。
【符号の説明】
【００３２】
１  固定金枠
２  開閉金枠
２ａ  摺動面
３  摺動金枠
３ａ  下プレート装着部
３ｂ  Ｔ型溝（係合部）
３ｃ  支持部
４  上プレート
５  ヒンジ部
６  下プレート
７  下ノズルスリーブ
８  中間ロッド
８ａ，８ｂ  Ｔ型ヘッド  
９  油圧シリンダー
９ａ  シリンダーロッド
１０  支持板
【図１】
2012139707.tif 000003
【図２】
2012139707.tif 000004
【図３】
2012139707.tif 000005
【図４】
2012139707.tif 000006
【図５】
2012139707.tif 000007
【図６】
2012139707.tif 000008
【図７】
2012139707.tif 000009
【図８】
2012139707.tif 000010